(57)【要約】【課題】特別な流量調整のための槽および流量調整のためのポンプを設けないでも、生ゴミ排水を含む厨房排水を安定して後段の処理部へ移送することが可能な高い処理能力を有する生ゴミ処理装置を提供すること。【解決手段】曝気分離室２と分離室３と可溶化室４と生物処理室５からなり、曝気分離室２は、排水流入口部２ａおよび室内中位の噴気口部２ｂを有し、分離室３は、曝気分離室２上縁の第１移流部２ｃを経て同室と連通し、可溶化室４は、連通口部４ａを経て分離室３底部と連通していると共に室内低位の噴気口部４ｂを有し、生物処理室５は、室内低位の噴気口部５ｂと、室内上位の放流口部６ｂを有し、分離室３と生物処理室５は第２移流部８を経て連通せしめてあると共にこの第２移流部８高さを第１移流部２ｃおよび放流口部６ｂよりも若干高く形成してある。【選択図】  図１
2004305934.tif 000002
【特許請求の範囲】
【請求項１】
曝気分離室と分離室と可溶化室と生物処理室からなり、曝気分離室は、排水流入口部および室内中位の噴気口部を有し、分離室は、曝気分離室上縁の第１移流部を経て同室と連通し、可溶化室は、連通口部を経て前記分離室底部と連通していると共に室内低位の噴気口部を有し、生物処理室は、室内低位の噴気口部と、室内上位の放流口部を有し、前記分離室と生物処理室は第２移流部を経て連通せしめてあると共にこの第２移流部高さを前記第１移流部および放流口部よりも若干高く形成してあることを特徴とする生ゴミ処理装置。
【請求項２】
平面視で、一方に曝気分離室が、中央の前後に分離室と可溶化室が、他方に生物処理室が、それぞれ隔壁で区画されて隣接したワンボックス状に形成してあると共に、排水流入口部を第１移流部と水平方向に離間させてあることを特徴とする請求項１記載の生ゴミ処理装置。
【発明の詳細な説明】
【０００１】
【発明の属する技術分野】
本発明はディスポーザー（生ゴミ粉砕装置）で粉砕される生ゴミ排水等の厨房排水を浄化処理して下水道へ放流することが可能な生ゴミ処理装置に関する。
【０００２】
【従来の技術】
ディスポーザーで粉砕処理されたＳＳ（固形物濃度）の高い生ゴミ排水は、殆ど調理中に発生するが、生ゴミ排水のＳＳ負荷がきわめて大きいので、一時的に貯留槽等で台所排水と混合して濃度を均一化させ流量調整を行なわないと、ピーク流入時に前処理で安定した沈殿分離ができず、ＳＳが高い生ゴミ排水等の厨房排水が後段の生物処理槽に流入することになるので十分な処理ができない。
例えば特許文献１では、生ゴミ排水を厨芥排水貯留部に貯留し、後処理の固液分離部における沈殿分離機能の安定化を図るため、厨芥排水貯留部から固液分離部への生ゴミ排水の移送にポンプを用い、流量調整することにより、できるだけ平均的に移送するようにしている。しかし、結果的に厨芥排水貯留部は、生ゴミ排水を受け入れるのに十分な貯留容積（一日の排水量の１／５容量以上で２倍容量以下）が必要となり、設置面積が大きくなる問題がある。
【０００３】
【特許文献１】
特開平１０−１８０２３６
【０００４】
【発明が解決しようとする課題】
解決しようとする課題は、第１には、特別な流量調整のための槽および流量調整のためのポンプを設けないでも、生ゴミ排水等の厨房排水を安定して後段の処理部へ移送することが可能な高い処理能力を有する生ゴミ処理装置を、第２には、さらに、コンパクトで、ＳＳ低下処理効率が高い生ゴミ処理装置を提供するものである。
【０００５】
【課題を解決するための手段】
本発明は前記した課題を達成するため、以下の構成にしたことを特徴とする。
１．曝気分離室と分離室と可溶化室と生物処理室からなり、曝気分離室は、排水流入口部および室内中位の噴気口部を有し、分離室は、曝気分離室上縁の第１移流部を経て同室と連通し、可溶化室は、連通口部を経て前記分離室底部と連通していると共に室内低位の噴気口部を有し、生物処理室は、室内低位の噴気口部と、室内上位の放流口部を有し、前記分離室と生物処理室は第２移流部を経て連通せしめてあると共にこの第２移流部高さを前記第１移流部および放流口部よりも若干高く形成してあることを特徴とする。
２．前記した１において、平面視で、一方に曝気分離室が、中央の前後に分離室と可溶化室が、他方に生物処理室が、それぞれ隔壁で区画されて隣接したワンボックス状に形成してあると共に、排水流入口部を第１移流部と水平方向に離間させてあることを特徴とする。
【０００６】
本発明において厨房排水とは生ゴミ排水と台所排水を一緒にしたものを指す。生ゴミ排水とは粉砕された生ゴミと水（調理中等における水道水）を一緒にしたものを指す。台所排水とは食器等の洗浄排水等の調理時に出る排水を指す。
本発明における曝気分離室と分離室と可溶化室と生物処理室は、それぞれが独立した専用槽で形成してある態様であっても良いし、各室が隔壁で区画されて隣接したワンボックスタイプの態様であっても良い。生物処理室は一室であっても良いし、複数室であっても良い。生物処理室は微生物が担持された担体を回流させるような流動槽にしても良いし、そうでなくとも良い。曝気分離室、分離室、可溶化室、生物処理室における各噴気口部は、それぞれの噴気量を調整バルブ等により個別に流量調整可能にしてあるのが望ましい。第１〜第２を含む各移流部は、通水可能なパイプ等による口状のものでも良いし、溢水可能なせき状のものであっても良い。
【０００７】
【発明の実施の形態】
図１〜図６には本発明の生ゴミ処理装置における実施の１形態を例示しており、生ゴミ処理装置１は、曝気分離室２と分離室３と好気可溶化室４と第１生物処理室５と第２生物処理室６をワンボックス状に形成してある。
曝気分離室２は、排水流入口部２ａおよび室内中位の噴気口部２ｂを有し、この曝気分離室２上縁のせき状第１移流部２ｃを経て分離室３と連通している。分離室３は室内上部にパイプ状第２移流部８を第１生物処理室５と連通状に形成してある。好気可溶化室４は、室内中位の連通口部４ａを経て分離室３底部と連通していると共に、室内低位に噴気口部４ｂを有している。第１生物処理室５は、室内上位に第３移流部５ａを第２生物処理室６と連通状に開口形成してあると共に、室内低位に噴気口部５ｂを有している。第２生物処理室６は、室内低位に噴気口部６ａを、室内上位に放流口部６ｂを、それぞれ有している。
【０００８】
そして、平面視で、左位置に曝気分離室２を、中前位置に分離室３を、中後位置に好気可溶化室４を、右中位置に第１生物処理室５を、右位置に第２生物処理室６を、それぞれ隔壁７で区画して形成してあると共に、パイプ状の排水流入口部２ａを中前位置の第１移流部２ｃよりも後方上位に開口形成してある。分離室３と第１生物処理室５は第２移流部８を経て連通せしめてあると共に、第２移流部８高さを第１移流部２ｃおよびパイプ状の放流口部６ｂ並びに第３移流部５ａよりも若干高く形成してある。この第２移流部８と第１移流部２ｃとの上下差ａは、曝気分離室２から分離室３への固形物の移動が少しずつ強制的に行なわれ、分離室３における急激なＳＳ負荷が発現しない程度にする。網状スクリーンで覆われた第３移流部５ａ高さは、第２移流部８よりも若干低くて、放流口部６ｂよりは若干高く形成してあり、分離室３における水位が第２移流部８レベルまで上昇するのにともない、分離室３側から第２移流部８を経て低位の第１生物処理室５へ、第１生物処理室５から第３移流部５ａを経てさらに低位の第２生物処理室６へ流れ得るようにしてある。
【０００９】
分離室３内には、第１移流部２ｃ脇に第１固形物遮蔽部材３ａを、第２移流部８脇に第２固形物遮蔽部材３ｂを、それぞれの上部が水面上に突出している一方で下部が水面下に沈み込んだ状態に配設してある。第１固形物遮蔽部材３ａは、第１移流部２ｃから流入する大中小の大きさの固形物が第２移流部８側に向けてダイレクトに流動しないように遮ると共に、この固形物を連通口部４ａから好気可溶化室４内へ誘導し得るように形成してある。第２固形物遮蔽部材３ｂは、第１固形物遮蔽部材３ａを潜り抜けてくる大きさの小さい固形物が第２移流部８側に向けて流動するのを阻止し得るように形成してある。
【００１０】
第１生物処理室５および第２生物処理室６内には、好気性微生物が付着された多数の流動担体９を曝気流に乗って回流可能にそれぞれ収容してあり、この流動担体９に付着した微生物の働きで微小固形物を含む汚濁物質を吸着、分解して浄化し得るようにしてある。
また、第２生物処理室６内には、放流口部６ｂ脇に網状スクリーン１０を配設していて、流動担体９が放流口部６ｂに流れ込まないようにしてある。
【００１１】
各噴気口部２ｂ、４ｂ、５ｂ、６ａは、それぞれ専用の調整バルブ１１、１２、１３、１４を経てブロワー１５と接続し、各室独自に曝気・撹拌可能にしてある。平面縦長状の曝気分離室２では、側面横長の散気管２ｄの各噴気口部２ｂから噴き出る気体により室内上部に回流を発生させて曝気・撹拌可能にしてあり、生ゴミ排水と台所排水中の殆どのＳＳを一旦ホールドし、可溶化し難い生ゴミはそのまま貯留し、可溶化し易い生ゴミは第１移流部２ｃを経て、曝気回流によって発生する自然移流により後段の分離室３へできるだけ少しずつ移送し得るようにしてある。平面横長状の好気可溶化室４では、正面横長の散気管４ｃの各噴気口部４ｂから噴き出る気体により室内に回流を発生させて曝気・撹拌可能にしてある。平面縦長状の第１生物処理室５では、散気管５ｃの各噴気口部５ｂから噴き出る気体により室内に回流を発生させて曝気・撹拌可能にしてある。平面縦長状の第２生物処理室６では、側面横長の散気管６ｃの各噴気口部６ａから噴き出る気体により室内に回流を発生させて曝気・撹拌可能にしてある。
【００１２】
図７には本発明の生ゴミ処理装置における第２移流部の他の１形態を例示しており、この第２移流部８は、分離室３内の細粒化・可溶化された固形分が第１生物処理部５へ溢水して移流可能なせき状に形成してある。
【００１３】
次に、前記した図１の生ゴミ処理装置による生ゴミ排水と台所排水を一緒にした厨房排水の浄化処理状態について説明する。
台所の流しに取り付けられているディスポーザー（図示せず）で粉砕された生ゴミ排水は台所排水とともにＳ字トラップ部を経て専用の排水配管１６を通って排水流入口部２ａから曝気分離室２内に流入する。この曝気分離室２内は、散気管２ｄが配設されている中程より上部で回流が行なわれて曝気・撹拌されているが、散気管２ｄより下部はやや死水域となっているので、流入した厨房排水中における鳥骨、卵殻等の無機系の固形物や比重が大きく可溶化し難い固形物は、撹拌状態が及ばない室底部に極めて短時間に沈殿して分離されて貯留される。その他の有機系の固形物（野菜、果物、米飯等）の中で比較的粒径の極めて小さくて軽い固形物は、曝気回流によって曝気・撹拌されて室内を浮遊している状態にある。
一方、有機系の生ゴミの中で比較的粒径の大きくて重たい固形物は、曝気回流状態の弱い室底部に一旦沈殿分離されるが、少し時間が経過し、僅かでも腐敗が進行するとみかけの比重が小さくなって軽くなり、曝気回流に掘り起こされて回流して浮遊状態になる。
【００１４】
そして、軽い粒子状の固形物は、曝気分離室２ｃ内を曝気回流にのって浮遊している状態にあると、第１移流部２ｃ付近で曝気回流に押し出されて、少しずつ強制的に第１移流部２ｃから分離室３へ押出されることで、分離室３における急激なＳＳ負荷の発現が阻止され、ＳＳ負荷が軽減されて固形物分離機能は安定化することになり、さらに後処理の第１生物処理部５および第２生物処理部６における固形物を含む汚濁物質の生物分解処理機能の安定化が図られることになる。分離室３において沈降し分離された固形物は、連通口部４ａを経て好気可溶化室４へ移送される。好気可溶化室４では、室内を回流する好気性微生物の働きで固形物は細粒化・可溶化（液化）され、連通口部４ａを通って分離室３内に還流する。分離室３内における細粒化・可溶化された固形分は、第２移流部８から第１生物処理部５に流出し、同室５内で流動担体９に付着した好気性微生物の働きにより吸着および分解されて処理された後、第３移流部５ａを経て第２生物処理室６に流入し、同室６内で流動担体９に付着した好気性微生物の働きにより吸着および分解されてさらに処理される。然る後に、吸着分解処理された処理水は第２生物処理室６内から放流口部６ｂを通り下水道等に放流される。
【００１５】
次のデーターは５人用に試作した図１の生ゴミ処理装置による分解処理例を示している。
標準の生ゴミ（組成：表１参照、建設省建築研究所発行のディスポーザーによる生ゴミリサイクルシステムの開発（平成６年度〜平成８年度）報告書掲載）１．２５ｋｇ（湿潤重量）を水道水２５Ｌでディスポーザーにより粉砕した生ゴミ排水と、ＳＳ濃度が８００ｍｇ／ＬでＢＯＤ濃度が概ね６００ｍｇ／Ｌになるように黄粉を用いた台所排水１５０Ｌとからなる厨房排水を、図８に示す流入パターンによりポンプで本装置に複数日に渉り流入させて分解処理した。流入量は毎分１４Ｌとした。
2004305934.tif 000003
このデーターに示されるように、本発明装置により分解処理された処理水のＳＳは、下水道の参考値である３００ｍｇ／Ｌを大きく下回った。
【００１６】
【表１】
2004305934.tif 000004
【００１７】
【発明の効果】
Ａ．請求項１により、第２移流部を経た分離室側から生物処理室側への通水時および非通水時に、曝気分離室側から第１移流部を経た分離室側への厨房排水の移動および分離室側と可溶化室側との間の出入りが継続するようにしてあることで、特別な流量調整のための槽および流量調整のためのポンプを設けないでも、生ゴミ排水を含む厨房排水を安定して後段の処理部へ移送することが可能な高い処理能力を有するものである。
Ｂ．請求項２により、さらに、コンパクトで、ＳＳ低下処理効率が高い。
【図面の簡単な説明】
【図１】本発明の生ゴミ処理装置における実施の１形態を例示している概略図。
【図２】平面図。
【図３】図２の（３）−（３）縦断面図。
【図４】図２の（４）−（４）縦断面図。
【図５】図２の（５）−（５）縦断面図。
【図６】図２の（６）−（６）縦断面図。
【図７】本発明の生ゴミ処理装置における第２移流部の他の１形態を例示しており、（Ａ）は部分縦断面図、（Ｂ）は同平面図。
【図８】厨房排水の流入パターンを示すグラフ。
【符号の説明】
１  生ゴミ処理装置
２  曝気分離室
２ａ  排水流入口部
２ｂ  噴気口部
２ｃ  第１移流部
２ｄ  散気管
３  分離室
３ａ  第１固形物遮蔽部材
３ｂ  第２固形物遮蔽部材
４  好気可溶化室
４ａ  連通口部
４ｂ  噴気口部
４ｃ  散気管
５  第１生物処理室（生物処理室）
５ａ  第３移流部
５ｂ  噴気口部
５ｃ  散気管
６  第２生物処理室（生物処理室）
６ａ  噴気口部
６ｂ  放流口部
６ｃ  散気管
７  隔壁
８  第２移流部
９  流動担体
１０  網状スクリーン
１１、１２、１３、１４  調整バルブ
１５  ブロワー
１６  排水配管
【図１】
2004305934.tif 000005
【図２】
2004305934.tif 000006
【図３】
2004305934.tif 000007
【図４】
2004305934.tif 000008
【図５】
2004305934.tif 000009
【図６】
2004305934.tif 000010
【図７】
2004305934.tif 000011
【図８】
2004305934.tif 000012
【手続補正書】
【提出日】平成15年5月8日(2003.5.8)
【手続補正１】
【補正対象書類名】図面
【補正対象項目名】図１
【補正方法】変更
【補正の内容】
【図１】
2004305934.tif 000013